(57)【要約】【課題】無線ＬＡＮサービスと音声通話サービスとをワンナンバーで実現する場合、通話開始前にガイダンスを流すためのコーデック変換を行う装置を捕捉した後、解放処理を行い、発側、着側の無線ネットワーク制御装置間で初期化処理を行う。【解決手段】発信側ＲＮＣ２と着信側ＲＮＣ７との間でコーデックに関する情報を授受する初期化処理開始のためのトリガとなる信号を発ＬＭＭＳ４から送出し、初期化処理を行わせることにより、ガイダンス音声を送出する場合でも通話開始までの時間を短縮することができる。【選択図】      図２
2008131243.tif 000002
【特許請求の範囲】
【請求項１】
複数の網それぞれにおいて用いられるＩＤのうちの代表ＩＤ宛に発信した場合に、着信する網を示すガイダンス音声を発信側端末に送出した後、通話を実現するためのガイダンスシステムであって、コーデックの準備を行うための制御信号をマルチメディア信号処理装置に送信するコーデック変換準備手段と、準備したコーデック変換を行って前記ガイダンス音声を発信端末に送出するガイダンス音声送出手段と、前記ガイダンス音声送出手段によりガイダンス音声を送出した後、前記コーデックを解放するための制御信号を前記マルチメディア信号処理装置に送信するコーデック解放手段と、発信側ＲＮＣと着信側ＲＮＣとの間でコーデックに関する情報を授受する初期化処理を開始するための信号を送出する初期化手段とを含むことを特徴とするガイダンスシステム。
【請求項２】
前記初期化手段は、初期化指示信号を前記発信側ＲＮＣに送信し、該発信側ＲＮＣと前記着信側ＲＮＣとの間で初期化処理を行うようにしたことを特徴とする請求項１記載のガイダンスシステム。
【請求項３】
前記初期化手段は、前記マルチメディア信号処理装置から、前記発信側ＲＮＣに関する情報を取得し、前記着信側ＲＮＣに通知することを特徴とする請求項１記載のガイダンスシステム。
【請求項４】
複数の網それぞれにおいて用いられるＩＤのうちの代表ＩＤ宛に発信した場合に、着信する網を示すガイダンス音声を発信側端末に送出した後、通話を実現するためのガイダンスシステムに用いるサーバ装置であって、コーデックの準備を行うための制御信号をマルチメディア信号処理装置に送信するコーデック変換準備手段と、準備したコーデック変換を行って前記ガイダンス音声を発信端末に送出するガイダンス音声送出手段と、前記ガイダンス音声送出手段によりガイダンス音声を送出した後、前記コーデックを解放するための制御信号を前記マルチメディア信号処理装置に送信するコーデック解放手段と、発信側ＲＮＣと着信側ＲＮＣとの間でコーデックに関する情報を授受する初期化処理を開始させるための初期化指示信号を前記発信側ＲＮＣに送信し、該発信側ＲＮＣと前記着信側ＲＮＣとの間で初期化処理を行わせる初期化手段とを含むことを特徴とするサーバ装置。
【請求項５】
複数の網それぞれにおいて用いられるＩＤのうちの代表ＩＤ宛に発信した場合に、着信する網を示すガイダンス音声を発信側端末に送出した後、通話を実現するためのガイダンスシステムに用いるサーバ装置であって、コーデックの準備を行うための制御信号をマルチメディア信号処理装置に送信するコーデック変換準備手段と、準備したコーデック変換を行って前記ガイダンス音声を発信端末に送出するガイダンス音声送出手段と、前記ガイダンス音声送出手段によりガイダンス音声を送出した後、前記コーデックを解放するための制御信号を前記マルチメディア信号処理装置に送信するコーデック解放手段と、発信側ＲＮＣと着信側ＲＮＣとの間でコーデックに関する情報の授受を実現するために、前記発信側ＲＮＣに関する情報を取得するための信号を前記マルチメディア信号処理装置へ送信し、取得した情報を前記着信側ＲＮＣに通知する初期化手段とを含むことを特徴とするサーバ装置。
【請求項６】
複数の網それぞれにおいて用いるＩＤのうちの代表ＩＤ宛に発信した場合に、着信する網を示すガイダンス音声を発信側端末に送出した後、通話を実現するためのガイダンス方法であって、コーデックの準備を行うための制御信号をマルチメディア信号処理装置に送信するコーデック変換準備ステップと、準備したコーデック変換を行って前記ガイダンス音声を発信端末に送出するガイダンス音声送出ステップと、前記ガイダンス音声送出ステップにおいてガイダンス音声を送出した後、前記コーデックを解放するための制御信号を前記マルチメディア信号処理装置に送信するコーデック解放ステップと、発信側ＲＮＣと着信側ＲＮＣとの間でコーデックに関する情報を授受する初期化処理を開始するための信号を送出する初期化ステップとを含むことを特徴とするガイダンス方法。
【発明の詳細な説明】
【技術分野】
【０００１】
本発明はガイダンスシステム、サーバ装置、ガイダンス方法に関し、特に着信する網を示すガイダンス音声を発信側端末に送出した後、通話を実現するためのガイダンスシステム、これに用いるサーバ装置、ガイダンス方法に関する。
【背景技術】
【０００２】
現在、ＩＭＴ（International Mobile Telecommunication）２０００に準拠した網（以下、ＩＭＴ網）による携帯電話サービスであるＦＯＭＡ（登録商標、以下同じ）サービスが運用されている。このサービスにおいては、音声符号化方式にＡＭＲ（Adaptive Multi Rate）が用いられている（非特許文献１参照）。このＡＭＲは、ＣＥＬＰ（Code Excited Linear Prediction）系の符号化方式であり、それに適応するコーデックが用いられる。
【非特許文献１】「鈴木直美の「ＰＣ  Ｗａｔｃｈ先週のキーワード」第１８７回：１０月２２日〜１０月２６日」、[online]、２００２年１０月、ＰＣ  Ｗａｔｃｈ編集部、[平成１８年５月１２日検索]、インターネット＜URL；http://www.watch.impress.co.jp/PC/docs/article/20011102/key187.htm＞
【発明の開示】
【発明が解決しようとする課題】
【０００３】
ＩＭＴ２０００に準拠した携帯電話サービスであるＦＯＭＡサービスと無線ＬＡＮ（Local Area Network）を利用したＰＷＬＡＮ（Private Wireless Local Area Network）サービスとを利用しているユーザが存在する。このようなユーザについて、それぞれのサービスに用いるＩＤ（すなわち電話番号）の他に、代表ＩＤ（すなわち代表番号）を設定するサービス（以下、ワンナンバーサービスと呼ぶ）の実現が望まれている。
このワンナンバーサービスにおいては、着信側ユーザの代表番号に対して発信すると、ＦＯＭＡサービス網とＰＷＬＡＮサービス網とのどちらに着信されるのか発信側ユーザに知らせる必要がある。このため、例えば、「ＦＯＭＡに接続します。」等のガイダンス音声を送出した後、ＦＯＭＡサービスによる通話状態に移行する必要がある。
【０００４】
このようなガイダンス音声を送出する際に用いられるコーデック（ＣＯＤＥＣ）は、ＦＯＭＡサービスにおいて用いられるコーデックとは異なる。コーデックを使用するためには、コーデックの準備を行うための制御信号をマルチメディア信号処理装置に送信した後、コーデックに関する情報を授受する初期化（Initialization）処理を行う必要がある。ガイダンス音声を流すためのコーデックと通話に用いるコーデックとは性能が異なるため、初期化を行わないと、音質の劣化を招くからである。
【０００５】
この初期化処理に至るまでの動作例について、図５を参照して説明する。同図には、発信側移動端末（Mobile station；以下、ＭＳと略称する）１、発信側無線ネットワーク制御装置（Radio Network Controller；以下、発ＲＮＣと略称する）２、マルチメディア信号処理装置（Multimedia Processing Equipment；以下、ＭＰＥと略称する）３、発信側モバイルマルチメディア交換装置（Local Mobile Multimedia Switching System；以下、発ＬＭＭＳと略称する）４、サービス制御装置（Service Control Point；以下、ＳＣＰと略称する）５、着信側モバイルマルチメディア交換装置（着ＬＭＭＳ）６、着信側無線ネットワーク制御装置（着ＲＮＣ）７、の間における信号授受が示されている。
【０００６】
同図において、最初に、発信側ＭＳ１から代表番号（例えば、０Ａ０番号）をダイヤルすると、Ｓｅｔｕｐ信号が発ＬＭＭＳ４に送信される（ステップＳ３０１）。すると、発ＬＭＭＳ４と発ＲＮＣ２との間でＲＡＢ（Radio Access Bearer）設定処理が行われる（ステップＳ３０２）。その後、発ＬＭＭＳ４がＳＣＰ５に問い合わせを行い、着番号変換処理、優先ベアラ決定処理が行われる（ステップＳ３０３）。
ＳＣＰ５から発ＬＭＭＳ４へ、０９０番号への接続指示、及び、着ベアラ通知ガイダンスの送出指示が送信される（ステップＳ３０４）。すると、発ＬＭＭＳ４では、着信翻訳が行われる。着信翻訳は、接続先の網（ＦＯＭＡ網／ＷＬＡＮ網）が決定された後、在圏状態、在圏交換機アドレス、サービス契約状況など、を取得する処理である。
【０００７】
この着信翻訳が行われた結果、発ＬＭＭＳ４はＦＯＭＡ網への接続と認識する（ステップＳ３０５）。このため、発ＬＭＭＳ４は、ＭＰＥ捕捉処理を行う（ステップＳ３０６）。このＭＰＥ捕捉処理は、以下のような処理である。すなわち、ＡＭＲ音源（4.75〜12.2Kbps）とＰＣＭ（Pulse Code Modulation）音源（64Kbps）のコーデック変換を行う必要があり、これをＭＰＥ３にて実施している。ＭＰＥ３を介して音源２を送出するために、発ＲＮＣ２からＭＰＥ３に対してコーデック情報に関する制御信号を送信して初期化を行い、コーデック変換の準備をする処理がＭＰＥ捕捉処理である。
【０００８】
その後、発ＬＭＭＳ４から発信側ＭＳ１に向けて、ガイダンス音声が送出される（ステップＳ３０７）。例えば、「ＦＯＭＡに接続します。」という音声を送出する。その後、発ＬＭＭＳ４は、発ＲＮＣ２とＭＰＥ３との間でのＭＰＥ解放処理を指示する（ステップＳ３０８）。このＭＰＥ解放処理は、捕捉したＭＰＥ３に制御信号を送信し、リソース解放を行う処理である。つまり、以降はＦＯＭＡ網による音声通話が行われるため、ＭＰＥ３を解放する必要がある。
【０００９】
そして、このＭＰＥ解放処理を行った後、発ＲＮＣ２と着ＲＮＣ６との間の初期化処理、すなわち発着ＲＮＣ間で、相互にコーデック情報をやり取りする処理を行う必要がある（Ｓ３０９）。しかしながら、発着ＲＮＣ間で、コーデック情報を授受するための有効な手段が無く、一旦接続を切り、再度ＦＯＭＡ網による接続を行うしか対策が無い。これでは、処理が複雑になって通話開始までに時間がかかるという問題がある。
本発明は上述した従来技術の問題点を解決するためになされたものであり、その目的はガイダンス音声を送出する場合でも通話開始までの時間を短縮することのできるガイダンスシステム、サーバ装置、ガイダンス方法を提供することである。
【課題を解決するための手段】
【００１０】
本発明の請求項１によるガイダンスシステムは、複数の網それぞれにおいて用いられるＩＤのうちの代表ＩＤ宛に発信した場合に、着信する網を示すガイダンス音声を発信側端末に送出した後、通話を実現するためのガイダンスシステムであって、コーデックの準備を行うための制御信号をマルチメディア信号処理装置に送信するコーデック変換準備手段と、準備したコーデック変換を行って前記ガイダンス音声を発信端末に送出するガイダンス音声送出手段と、前記ガイダンス音声送出手段によりガイダンス音声を送出した後、前記コーデックを解放するための制御信号を前記マルチメディア信号処理装置に送信するコーデック解放手段と、発信側ＲＮＣと着信側ＲＮＣとの間でコーデックに関する情報を授受する初期化処理を開始するための信号を送出する初期化手段とを含むことを特徴とする。発信側ＲＮＣと着信側ＲＮＣとの間でコーデックに関する情報を授受する初期化処理開始のためのトリガとなる信号を送出し、初期化処理を行わせることにより、ガイダンス音声を送出する場合でも通話開始までの時間を短縮することができる。
【００１１】
本発明の請求項２によるガイダンスシステムは、請求項１において、前記初期化手段は、初期化指示信号を前記発信側ＲＮＣに送信し、該発信側ＲＮＣと前記着信側ＲＮＣとの間で初期化処理を行うようにしたことを特徴とする。初期化手段である発信側交換装置から発信側ＲＮＣに向けて初期化指示信号を送信し、これを受信した発信側ＲＮＣと着信側ＲＮＣとの間で初期化処理を行うことにより、ガイダンス音声を送出する場合でも通話開始までの時間を短縮することができる。
【００１２】
本発明の請求項３によるガイダンスシステムは、請求項１において、前記初期化手段は、前記マルチメディア信号処理装置から、前記発信側ＲＮＣに関する情報を取得し、前記着信側ＲＮＣに通知することを特徴とする。初期化手段である発信側交換装置が、マルチメディア信号処理装置から、発信側ＲＮＣに関する情報を取得し、着信側ＲＮＣに通知することにより、着信側ＲＮＣが発信側ＲＮＣに関する情報を取得できるので、初期化処理のための発信側ＲＮＣと着信側ＲＮＣとの間の情報授受が不要になる。
【００１３】
本発明の請求項４によるサーバ装置は、複数の網それぞれにおいて用いられるＩＤのうちの代表ＩＤ宛に発信した場合に、着信する網を示すガイダンス音声を発信側端末に送出した後、通話を実現するためのガイダンスシステムに用いるサーバ装置であって、コーデックの準備を行うための制御信号をマルチメディア信号処理装置に送信するコーデック変換準備手段と、準備したコーデック変換を行って前記ガイダンス音声を発信端末に送出するガイダンス音声送出手段と、前記ガイダンス音声送出手段によりガイダンス音声を送出した後、前記コーデックを解放するための制御信号を前記マルチメディア信号処理装置に送信するコーデック解放手段と、発信側ＲＮＣと着信側ＲＮＣとの間でコーデックに関する情報を授受する初期化処理を開始させるための初期化指示信号を前記発信側ＲＮＣに送信し、該発信側ＲＮＣと前記着信側ＲＮＣとの間で初期化処理を行わせる初期化手段とを含むことを特徴とする。発信側交換装置（図２中の発ＬＭＭＳ４に対応）から発信側ＲＮＣに向けて初期化指示信号を送信し、これを受信した発信側ＲＮＣと着信側ＲＮＣとの間で初期化処理を行うことにより、ガイダンス音声を送出する場合でも通話開始までの時間を短縮することができる。
【００１４】
本発明の請求項５によるサーバ装置は、複数の網それぞれにおいて用いられるＩＤのうちの代表ＩＤ宛に発信した場合に、着信する網を示すガイダンス音声を発信側端末に送出した後、通話を実現するためのガイダンスシステムに用いるサーバ装置であって、コーデックの準備を行うための制御信号をマルチメディア信号処理装置に送信するコーデック変換準備手段と、準備したコーデック変換を行って前記ガイダンス音声を発信端末に送出するガイダンス音声送出手段と、前記ガイダンス音声送出手段によりガイダンス音声を送出した後、前記コーデックを解放するための制御信号を前記マルチメディア信号処理装置に送信するコーデック解放手段と、発信側ＲＮＣと着信側ＲＮＣとの間でコーデックに関する情報の授受を実現するために、前記発信側ＲＮＣに関する情報を取得するための信号を前記マルチメディア信号処理装置へ送信し、取得した情報を前記着信側ＲＮＣに通知する初期化手段とを含むことを特徴とする。発信側交換装置（図３中の発ＬＭＭＳ４に対応）が、マルチメディア信号処理装置から、発信側ＲＮＣに関する情報を取得し、着信側ＲＮＣに通知することにより、着信側ＲＮＣが発信側ＲＮＣに関する情報を取得できるので、初期化処理のための発信側ＲＮＣと着信側ＲＮＣとの間の情報授受が不要になる。
【００１５】
本発明の請求項６によるガイダンス方法は、複数の網それぞれにおいて用いるＩＤのうちの代表ＩＤ宛に発信した場合に、着信する網を示すガイダンス音声を発信側端末に送出した後、通話を実現するためのガイダンス方法であって、コーデックの準備を行うための制御信号をマルチメディア信号処理装置に送信するコーデック変換準備ステップ（図２中のステップＳ３０６、図３中のステップＳ３０６に対応）と、準備したコーデック変換を行って前記ガイダンス音声を発信端末に送出するガイダンス音声送出ステップ（図２中のステップＳ３０７、図３中のステップＳ３０７に対応）と、前記ガイダンス音声送出ステップにおいてガイダンス音声を送出した後、前記コーデックを解放するための制御信号を前記マルチメディア信号処理装置に送信するコーデック解放ステップ（図２中のステップＳ３０８、図３中のステップＳ３０８に対応）と、発信側ＲＮＣと着信側ＲＮＣとの間でコーデックに関する情報を授受する初期化処理を開始するための信号を送出する初期化ステップ（図２中のステップＳ３１０、図３中のステップＳ３１５に対応）とを含むことを特徴とする。発信側ＲＮＣと着信側ＲＮＣとの間でコーデックに関する情報を授受する初期化処理開始のためのトリガとなる信号を送出し、初期化処理を行わせることにより、ガイダンス音声を送出する場合でも通話開始までの時間を短縮することができる。
【発明の効果】
【００１６】
本発明においては、発信側ＲＮＣと着信側ＲＮＣとの間でコーデックに関する情報を授受する初期化処理開始のためのトリガとなる信号を送出し、初期化処理を行わせることにより、ガイダンス音声を送出する場合でも通話開始までの時間を短縮することができるという効果がある。
【発明を実施するための最良の形態】
【００１７】
以下、本発明の実施の形態を、図面を参照して説明する。なお、以下の説明において参照する各図では、他の図と同等部分は同一符号によって示されている。
（実施の形態）
図１は、本発明の実施形態によるガイダンスシステムを採用した通信システムの構成例を示すブロック図である。同図において、本例の通信システムは、発ＲＮＣ２、発ＬＭＭＳ４と、着ＬＭＭＳ６と、着ＲＮＣ７とがネットワークＮＷによって接続された構成である。ネットワークＮＷには、ＭＰＥ３と、ＳＣＰ５とが接続されている。なお、同図において、無線基地局や基地局制御装置等については、図示が省略されている。
【００１８】
このような構成において、発信側ＭＳ１から着信側ＭＳ８に対して代表番号による発信を行った場合に、コーデックの準備を行うための制御信号をマルチメディア信号処理装置に送信し、準備したコーデック変換を行ってガイダンス音声を発信端末に送出し、このガイダンス音声を送出した後、コーデックを解放するための制御信号をマルチメディア信号処理装置に送信する。以上の処理は図５の場合と同様である。本システムでは、発信側ＲＮＣと着信側ＲＮＣとの間でコーデックに関する情報を授受する初期化処理を開始するための、トリガとなる信号を送出し、初期化処理を行わせる点に特徴がある。以下、これを実現するための実施例について説明する。
【００１９】
（実施例１）
図２は、本発明によるガイダンスシステムの一動作例を示すシーケンス図である。本例では、ＲＡＮＡＰ信号により、ＲＮＣに対して再初期化処理を促すことで初期化処理を実現する。
同図において、着信翻訳の結果、ＦＯＭＡ網での接続であると認識し（ステップＳ３０５）、ＭＰＥ捕捉処理（ステップＳ３０６）、ガイダンス音声送出（ステップＳ３０７）、ＭＰＥ解放処理（ステップＳ３０８）までは図５の場合と同様であるため、その説明を省略する。
【００２０】
本例では、ＭＰＥ解放処理（ステップＳ３０８）の後、発ＬＭＭＳ４から発ＲＮＣ２に向けて、ＲＡＮＡＰ（Radio Access Network Application Part）信号を送出する（ステップＳ３１０）。このＲＡＮＡＰ信号には、再処理化処理指示が含まれている。なお、このＲＡＮＡＰ信号については、新規のＲＡＮＡＰ信号でも良いし、既存のＲＡＮＡＰ信号（例えば、Initialization Request）に、パラメータを追加したものでも良い。
このＲＡＮＡＰ信号を受信した発ＲＮＣ２では、初期化処理を開始する（ステップＳ３１１）。すなわち、発ＲＮＣ２と着ＲＮＣ７との間で、初期化処理が行われる（ステップＳ３１２）。
【００２１】
以後は、既存処理となる（ステップＳ３１３）。これにより、ＦＯＭＡ網を利用した通話が行われる。なお、発ＬＭＭＳ４においては、応答待ちタイマを起動し、正常応答を受信するまでは課金処理を行わない（ステップＳ３１４）。
以上のように、ＭＰＥ解放処理の後、発ＬＭＭＳ４からの指示をトリガとして初期化処理を行うので、ガイダンス音声を送出する場合でも通話開始までの時間を短縮することができる。
【００２２】
（実施例２）
図３は、本発明によるガイダンスシステムの他の動作例を示すシーケンス図である。本例では、発ＬＭＭＳがＭＰＥから初期化処理結果を取得し、その情報を着ＲＮＣに通知することで発着ＲＮＣ間の初期化処理を不要とするものである。
同図において、着信翻訳の結果、ＦＯＭＡ網での接続であると認識し（ステップＳ３０５）、ＭＰＥ捕捉処理（ステップＳ３０６）、ガイダンス音声送出（ステップＳ３０７）、までは図５の場合と同様であるため、その説明を省略する。
【００２３】
本例では、ＭＰＥ解放処理の前に、発ＬＭＭＳ４がＭＰＥ３に対し、初期化処理結果を取得するためのＢＩＳＵＰｍ信号（B−ISDNユーザ部信号）を送信する（ステップＳ３１５）。ＭＰＥ３は、発ＲＮＣとの間でコーデックについての初期化処理を既に行っているので、その初期化処理に関する情報を保持している。このＭＰＥ３に保持されている情報を、発ＬＭＭＳ４が取得する。
【００２４】
発ＬＭＭＳ４は、ＭＰＥ３からの応答によって初期化処理に関する情報（すなわちInitialization結果）を取得すると（ステップＳ３１６）、ＭＰＥ解放処理を行う（ステップＳ３０８）。その後、発ＬＭＭＳ４は、着ＬＭＭＳ６に向けて、Ｂ−ＩＳＵＰ＿ＩＡＭ（ＩＳＵＰアドレスメッセージ）を送信する（ステップＳ３１７）。このＢ−ＩＳＵＰ＿ＩＡＭには、初期化処理に関する情報（Initialization結果）が含まれている。
【００２５】
このＢ−ＩＳＵＰ＿ＩＡＭを受信して初期化処理に関する情報を取得した着ＬＭＭＳ６は、その初期化処理に関する情報を含むRAB Assignment Req.を着ＲＣＮ７に送信する（ステップＳ３１８）。これにより、着ＲＣＮ７は、初期化処理に関する情報を取得できる（ステップＳ３１９）。
以後は、既存処理となる（ステップＳ３１３）。これにより、ＦＯＭＡ網を利用した通話が行われる。本例の場合、発ＬＭＭＳ４からトリガとなる信号を送信してＭＰＥ３から初期化処理結果を取得し、その情報を着ＬＭＭＳ６に通知する。そして、その情報を着ＲＮＣに通知しているので、発ＲＣＮと着ＲＮＣとの間の初期化処理が不要になる。このため、図２の場合よりも通話を早期に開始できる。
【００２６】
（発ＬＭＭＳの構成）
以上の処理を実現するための、発ＬＭＭＳの構成例について、図４を参照してい説明する。同図は、発ＬＭＭＳ４の機能ブロック図である。同図において、発ＬＭＭＳ４は、一般的なサーバ装置を用いて構成され、コーデックの準備を行うための制御信号をＭＰＥ３に送信するコーデック変換準備手段４１と、準備したコーデック変換を行ってガイダンス音声を発信端末に送出するガイダンス音声送出手段４２と、ガイダンス音声送出手段４２によりガイダンス音声を送出した後、コーデックを解放するための制御信号をＭＰＥ３に送信するコーデック解放手段４３と、発ＲＮＣ２と着ＲＮＣ７との間でコーデックに関する情報を授受する初期化処理を開始させるための初期化指示信号を発ＲＮＣ２に送信し、発ＲＮＣ２と着ＲＮＣ７との間で初期化処理を行わせる初期化手段４４とを含んで構成されている。
【００２７】
そして、上述した図２の動作を実現する場合、初期化手段４４は、初期化指示信号を発ＲＮＣ２に送信し、発ＲＮＣ２と着ＲＮＣ７との間で初期化処理を行わせる。これにより、ガイダンス音声を送出する場合でも通話開始までの時間を短縮することができる。
一方、上述した図３の動作を実現する場合、初期化手段４４は、前記マルチメディア信号処理装置から、発ＲＮＣ２に関する情報を取得し、着ＲＮＣ７に通知する。これにより、着ＲＮＣ７が発ＲＮＣ２に関する情報を取得できるので、初期化処理のための発ＲＮＣ２と着信側ＲＮＣ７との間の情報授受が不要になる。
【００２８】
（ガイダンス方法）
上述したガイダンスシステムにおいては、以下のようなガイダンス方法が実現されている。すなわち、複数の網それぞれにおいて用いるＩＤのうちの代表ＩＤ宛に発信した場合に、着信する網を示すガイダンス音声を発信側端末に送出した後、通話を実現するためのガイダンス方法であって、コーデックの準備を行うための制御信号をマルチメディア信号処理装置に送信するコーデック変換準備ステップ（図２中のステップＳ３０６、図３中のステップＳ３０６に対応）と、準備したコーデック変換を行って上記ガイダンス音声を発信端末に送出するガイダンス音声送出ステップ（図２中のステップＳ３０７、図３中のステップＳ３０７に対応）と、上記ガイダンス音声送出ステップにおいてガイダンス音声を送出した後、上記コーデックを解放するための制御信号を上記マルチメディア信号処理装置に送信するコーデック解放ステップ（図２中のステップＳ３０８、図３中のステップＳ３０８に対応）と、発信側ＲＮＣと着信側ＲＮＣとの間でコーデックに関する情報を授受する初期化処理を開始するための信号を送出する初期化ステップ（図２中のステップＳ３１０、図３中のステップＳ３１５に対応）とを含むガイダンス方法が実現されている。
発信側ＲＮＣと着信側ＲＮＣとの間でコーデックに関する情報を授受する初期化処理開始のためのトリガとなる信号を送出し、初期化処理を行わせることにより、ガイダンス音声を送出する場合でも通話開始までの時間を短縮することができる。
【産業上の利用可能性】
【００２９】
本発明は、ガイダンス音声を送出した後、通話を実現する場合に利用することができる。
【図面の簡単な説明】
【００３０】
【図１】本発明の実施形態によるガイダンスシステムを採用した通信システムの構成例を示すブロック図である。
【図２】本発明によるガイダンスシステムの一動作例を示すシーケンス図である。
【図３】本発明によるガイダンスシステムの他の動作例を示すシーケンス図である。
【図４】発ＬＭＭＳの構成例を示す機能ブロック図である。
【図５】コーデックに関する情報を授受する初期化処理に至るまでの動作例を示すシーケンス図である。
【符号の説明】
【００３１】
１  発信側移動端末
２  発信側無線ネットワーク制御装置
３  マルチメディア信号処理装置
４  発信側モバイルマルチメディア交換装置
５  サービス制御装置
６  着信側モバイルマルチメディア交換装置
７  着信側無線ネットワーク制御装置
８  着信側移動端末
【図１】
2008131243.tif 000003
【図２】
2008131243.tif 000004
【図３】
2008131243.tif 000005
【図４】
2008131243.tif 000006
【図５】
2008131243.tif 000007